(57)【要約】【課題】上方から落下する遊技球を確実に振り分けることができる役物装置および遊技機を提供することを目的とする。【解決手段】入賞口に入賞した遊技球は、収容室１２０の上部に開口された球入口から収容室１２０内に進入する。前後方向に進退する案内部材１５０は、ソレノイド１９０の非駆動時には、球入口の直下に遊技球を非特定領域へ案内する左案内路１６０を配置し、駆動時には、特定領域へ案内する右案内路１５５を配置する。遊技球が左案内路１６０を転がる場合、遊技球は案内部材１５０の基体から突出する背壁と右案内路１５５の後壁とで幅方向への移動が規制され、右案内路１５５を転がる場合には、収容室１２０の前側壁と左案内路１６０の前壁とで幅方向への移動が規制される。よって遊技球は他方の案内路の斜壁に乗り上げ難く、Ｖアタッカー１０は遊技球の振り分けを確実に行うことができる。【選択図】図５
2014030642.tif 000002
【特許請求の範囲】
【請求項１】
遊技機の盤面に設けられ、遊技球が入賞可能な入賞口と、
前記入賞口の下方に設けられ、前記入賞口に入賞した前記遊技球を上部に開口する球入口から内部に収容し、且つ、前記内部を取り囲む側壁のうち上下方向と直交する第一方向において向き合って配置される二つの側壁にそれぞれ開口する第一球出口または第二球出口から前記遊技球を外部に排出する収容室と、
前記収容室の底壁上を摺り動き、前記第一方向とは異なる第二方向において往復移動可能に構成され、前記球入口から前記収容室内に進入する前記遊技球を振り分けて前記第一球出口または前記第二球出口へ案内する案内部材であって、
前記第二方向に延びる基体と、
前記第二球出口側を上方とし、前記第一球出口側を下方として傾斜する第一斜壁、壁面が前記基体の一方の端部側を向く第一側壁、および壁面が前記基体の他方の端部側を向く第二側壁を有し、前記基体の前記一方の端部において上方へ向けて突出して設けられ、前記第一斜壁を転がる前記遊技球を前記第一球出口へ案内する第一案内路と、
前記第一球出口側を上方とし、前記第二球出口側を下方として傾斜する第二斜壁、壁面が前記一方の端部側を向く第三側壁、および壁面が前記他方の端部側を向く第四側壁を有し、前記第一案内路よりも前記他方の端部側において前記第一案内路に近接または密着する位置で前記基体の上方へ向けて突出して設けられ、前記第二斜壁を転がる前記遊技球を前記第二球出口へ向けて案内する第二案内路と、
を備える案内部材と、
前記案内部材を前記第二方向に移動させ、前記第一案内路または前記第二案内路を前記球入口の直下に配置する駆動源と、
を備えたことを特徴とする役物装置。
【請求項２】
前記案内部材は、前記第二案内路よりも前記他方の端部側、且つ前記第四側壁に近接または密着する位置において、前記基体の上方へ向けて、前記第二斜壁よりも上方に突出する背壁をさらに備えたことを特徴とする請求項１に記載の役物装置。
【請求項３】
前記駆動源と前記案内部材の前記基体の前記他方の端部とのそれぞれに連結し、前記駆動源の動力を前記案内部材に伝達する伝達部材をさらに備え、
前記伝達部材と前記案内部材との連結部位は、前記上下方向に延びるピンを孔に係合する形態のものであり、前記伝達部材が前記案内部材に対して相対的に回動し、前記第二方向への動力を伝達する一方、前記連結部位において、少なくとも前記上下方向に互いの位置ずれを許容する遊びを有することを特徴とする請求項１または２に記載の役物装置。
【請求項４】
前記案内部材は、前記基体に、前記上下方向に突出しつつ前記第二方向に延びる二つの第一突部を備え、
前記収容室は、前記上下方向に突出しつつ前記第二突部と平行に前記第二方向に延びる第二突部を備え、
前記案内部材の前記第二方向への移動は、前記第二突部が二つの前記第一突部間に係合した状態で行われることを特徴とする請求項１から３のいずれかに記載の役物装置。
【請求項５】
前記第一球出口は特定領域に接続され、前記第二球出口は非特定領域に接続され、
前記駆動源は、駆動状態のオン時とオフ時とで前記第二方向における異なる向きに前記案内部材を移動するものであり、
前記駆動源は、オン時に、前記第一案内路を前記球入口の直下に配置し、オフ時には、前記第二案内路を前記球入口の直下に配置するように、前記案内部材を移動することを特徴とする請求項１から４のいずれかに記載の役物装置。
【請求項６】
前記第二球出口は、前記収容部の前記側壁において、前記駆動源のオン時に前記第二案内路の前記第二斜壁の下端が向き合う位置と、オフ時に前記第二斜壁の下端が向き合う位置とを含め、両者間の全体に開口することを特徴とする請求項５に記載の役物装置。
【請求項７】
請求項１から６のいずれかに記載の役物装置を備えた遊技機。
【発明の詳細な説明】
【技術分野】
【０００１】
本発明は、遊技球の振り分けを行うことのできる役物装置および遊技機に関する。
【背景技術】
【０００２】
従来、遊技機に設けられ、遊技球の振り分けを行う役物装置が知られている。例えば、特許文献１に記載の振分装置は、遊技球を上方から落下させ、落下位置に配置した傾斜面で転落経路を変更し、遊技球の振り分けを行う。この振分装置は、上方に遊技球の落下口が設けられた固定壁から進退する基体を備え、その基体に、遊技球の転落経路を第１経路に変更する第１傾斜面と、基体の側部に起立する可動壁が設けられている。また、可動壁の上端部が、遊技球の転落経路を第２経路に変更する第２傾斜面として機能する。可動壁は、基体が固定壁から突出状態となり、落下口の下方に第１傾斜面が配置された場合には、第１傾斜面が受け止めた遊技球を固定壁と共に挟み、遊技球のぶれを規制して整流しつつ第１経路へ向けて転落させる。また、可動壁は、基体が固定壁に没入状態となり、落下口の下方に第２傾斜面が配置された場合には、第２傾斜面で遊技球を受け止めて第２経路へ向けて転落させる。
【先行技術文献】
【特許文献】
【０００３】
【特許文献１】特開２００８−２８９６７０号公報
【発明の概要】
【発明が解決しようとする課題】
【０００４】
しかしながら、特許文献１では、可動壁が突出状態にあり遊技球を第１傾斜面で受け止めたときに、没入状態へ移行すると、遊技球が可動壁と固定壁の間に挟まれてしまうため、基体を進退させる駆動源に負荷がかかってしまう。さらに、可動壁と固定壁に挟まれた遊技球が、その押圧力によって第２傾斜面上に押し上げられてしまうと、第１傾斜面によって第１経路へ向けて転落していた遊技球が第２経路へ向けて転落してしまう。また、第２傾斜面には転落時のぶれを規制する壁部がないため、第２傾斜面で受け止めた遊技球が第１傾斜面上や基体の進退方向の前方へこぼれ落ちてしまい、狙い通りの振り分けを行うことができない場合があった。
【０００５】
本発明は、上記課題を解決するためになされたものであり、上方から落下する遊技球を確実に振り分けることができる役物装置および遊技機を提供することを目的とする。
【課題を解決するための手段】
【０００６】
本発明の第１態様によれば、遊技機の盤面に設けられ、遊技球が入賞可能な入賞口と、前記入賞口の下方に設けられ、前記入賞口に入賞した前記遊技球を上部に開口する球入口から内部に収容し、且つ、前記内部を取り囲む側壁のうち上下方向と直交する第一方向において向き合って配置される二つの側壁にそれぞれ開口する第一球出口または第二球出口から前記遊技球を外部に排出する収容室と、前記収容室の底壁上を摺り動き、前記第一方向とは異なる第二方向において往復移動可能に構成され、前記球入口から前記収容室内に進入する前記遊技球を振り分けて前記第一球出口または前記第二球出口へ案内する案内部材であって、前記第二方向に延びる基体と、前記第二球出口側を上方とし、前記第一球出口側を下方として傾斜する第一斜壁、壁面が前記基体の一方の端部側を向く第一側壁、および壁面が前記基体の他方の端部側を向く第二側壁を有し、前記基体の前記一方の端部において上方へ向けて突出して設けられ、前記第一斜壁を転がる前記遊技球を前記第一球出口へ案内する第一案内路と、前記第一球出口側を上方とし、前記第二球出口側を下方として傾斜する第二斜壁、壁面が前記一方の端部側を向く第三側壁、および壁面が前記他方の端部側を向く第四側壁を有し、前記第一案内路よりも前記他方の端部側において前記第一案内路に近接または密着する位置で前記基体の上方へ向けて突出して設けられ、前記第二斜壁を転がる前記遊技球を前記第二球出口へ向けて案内する第二案内路と、を備える案内部材と、前記案内部材を前記第二方向に移動させ、前記第一案内路または前記第二案内路を前記球入口の直下に配置する駆動源と、を備えたことを特徴とする役物装置が提供される。
【０００７】
第１態様において、案内部材の第二案内路は、基体の一方の端部に配置した第一案内路に並んで近接または密着して配置される。第一案内路の第一斜壁と、第二案内路の第二斜壁は、それぞれが案内する第一球出口と第二球出口が第一方向において向き合う側壁に開口されているため、第一斜壁の上端が第二斜壁の下端側に位置し、第二斜壁の上端が第一斜壁の下端側に位置する。よって、第一斜壁の下端側において、幅方向には第二案内路の第三側壁が配置されるため、遊技球が第一斜壁上を転がり第一球出口へ案内される場合に、第三側壁が第一斜壁の幅方向への移動を規制するので、遊技球が第二斜壁上に乗り上げることを防止することができる。同様に、第二斜壁の下端側において、幅方向には第一案内路の第二側壁が配置されるため、遊技球が第二斜壁上を転がり第二球出口へ案内される場合に、第二側壁が第二斜壁の幅方向への移動を規制するので、遊技球が第一斜壁に乗り上げることを防止することができる。したがって第一案内路は遊技球を第一球出口へより確実に案内し、第二案内路は遊技球を第二球出口へより確実に案内することができる。また、第一球出口と第二球出口は、第一方向において向き合う側壁に開口され、つまり、収容室を挟んで反対側にそれぞれ設けられているので、案内部材によって一方の球出口へ向けて振り分けられた遊技球が振り分け先と反対側の球出口へは向かい難く、遊技球の振り分けを確実に行うことができる。
【０００８】
第１態様において、前記案内部材は、前記第二案内路よりも前記他方の端部側、且つ前記第四側壁に近接または密着する位置において、前記基体の上方へ向けて、前記第二斜壁よりも上方に突出する背壁をさらに備えてもよい。第二案内路の他方の端部側に背壁が設けられることによって、遊技球が第二斜壁上を転がり第二球出口へ案内される場合に、第二側壁と背壁とで第二斜壁の幅方向への移動を規制するので、遊技球をより確実に第二球出口へ案内することができる。
【０００９】
第１態様は、前記駆動源と前記案内部材の前記基体の前記他方の端部とのそれぞれに連結し、前記駆動源の動力を前記案内部材に伝達する伝達部材をさらに備えてもよい。この場合において、前記伝達部材と前記案内部材との連結部位は、前記上下方向に延びるピンを孔に係合する形態のものであり、前記伝達部材が前記案内部材に対して相対的に回動し、前記第二方向への動力を伝達する一方、前記連結部位において、少なくとも前記上下方向に互いの位置ずれを許容する遊びを有してもよい。遊技球は入賞口から落下して案内部材に衝突する。衝突によって案内部材に加わる負荷を、伝達部材との接続部位に設けた遊びで逃がすことができる。また、駆動源との間に伝達部材を介在させたことによって、駆動源にも直接負荷がかからない。
【００１０】
第１態様において、前記案内部材は、前記基体に、前記上下方向に突出しつつ前記第二方向に延びる二つの第一突部を備えてもよい。また、前記収容室は、前記上下方向に突出しつつ前記第二突部と平行に前記第二方向に延びる第二突部を備えてもよい。この場合に、前記案内部材の前記第二方向への移動は、前記第二突部が二つの前記第一突部間に係合した状態で行われてもよい。遊技球は入賞口から落下して案内部材の第一斜壁または第二斜壁に衝突する。斜面に衝突した際の衝撃で、案内部材は第二方向とは異なる方向に応力を受ける。この場合において、第一突部と第二突部が係合するため、衝突の応力によって案内部材が底壁上で第二方向とは異なる方向に動いてしまうことを防止でき、遊技球の案内の確実性を長期にわたって維持することができる。
【００１１】
第１態様において、前記第一球出口は特定領域に接続され、前記第二球出口は非特定領域に接続され、前記駆動源は、駆動状態のオン時とオフ時とで前記第二方向における異なる向きに前記案内部材を移動するものであり、前記駆動源は、オン時に、前記第一案内路を前記球入口の直下に配置し、オフ時には、前記第二案内路を前記球入口の直下に配置するように、前記案内部材を移動してもよい。駆動源の駆動時にのみ遊技球が第一案内路によって特定領域に案内される。すなわち、駆動源が駆動していないとき、特に、故障等で非駆動状態となったときには、遊技球が非特定領域に案内されるようにすることができる。
【００１２】
第１態様において、前記第二球出口は、前記収容部の前記側壁において、前記駆動源のオン時に前記第二案内路の前記第二斜壁の下端が向き合う位置と、オフ時に前記第二斜壁の下端が向き合う位置とを含め、両者間の全体に開口してもよい。案内部材の第二案内路に遊技球が案内されているときに案内部材が移動しても、第二球出口がふさがれることがないので、遊技球を確実に第二通路に案内し、非特定領域に案内することができる。また、遊技球が第二斜壁に案内されている場合に案内部材が駆動しても、遊技球が挟まれることがないので、球詰まり等を生ずることのない信頼性の高い役物装置を提供できる。
【００１３】
本発明の第２態様によれば、第１態様に係る役物装置を備えた遊技機が提供される。第１態様の役物装置を備えることで、遊技球の振り分けを確実に行うことができ、また、球詰まり等が生じにくく信頼性の高い遊技機を提供できる。
【図面の簡単な説明】
【００１４】
【図１】パチンコ機１の正面図である。
【図２】Ｖアタッカー１０の正面図である。
【図３】図２の一点鎖線Ａ−Ａにおいて矢視方向から見たＶアタッカー１０の断面図である。
【図４】図２の一点鎖線Ｂ−Ｂにおいて矢視方向から見たＶアタッカー１０の断面図である。
【図５】化粧板１０１、前側壁１２２、ソレノイド１０６およびその駆動機構、筐体の上蓋１０７等を取り外した状態で正面、右側面および平面から見たＶアタッカー１０の斜視図である。
【図６】化粧板１０１、前側壁１２２、ソレノイド１０６およびその駆動機構、筐体の上蓋１０７等を取り外した状態のＶアタッカー１０の平面図である。
【図７】案内部材１５０、伝達部材１７０およびソレノイド１９０の斜視図である。
【図８】ソレノイド１９０への通電時において、化粧板１０１、前側壁１２２、ソレノイド１０６およびその駆動機構、筐体の上蓋１０７等を取り外した状態で正面、右側面および平面から見たＶアタッカー１０の斜視図である。
【図９】ソレノイド１９０への通電時において、図２の一点鎖線Ｂ−Ｂにおいて矢視方向から見たＶアタッカー１０の断面図である。
【発明を実施するための形態】
【００１５】
以下、本発明に係る役物装置および遊技機の一実施の形態であるＶアタッカー１０およびパチンコ機１について、図面を参照して説明する。まず、Ｖアタッカー１０を備えるパチンコ機１の機械的な構成について、図１、図２を参照して説明する。なお、以下の説明において、パチンコ機１の上下方向、左右方向、および表裏方向については、特に断りがない場合、遊技盤２の盤面の向きを基準とする。すなわち、ホールに設置されたパチンコ機１で遊技を行う遊技者からパチンコ機１を見た向き（図１に図示されるパチンコ機１の向き）が基準となる。以下では便宜上、表裏方向を前後方向として説明を行う。また、パチンコ機１に使用される装置や部品についても、パチンコ機１に組み付けられた場合の向きを基準に、上下方向、左右方向、および前後方向を規定するものとする。
【００１６】
図１に示すように、パチンコ機１の上段側には遊技盤２が設けられている。遊技盤２は略正方形であり、透明なガラス板を保持した前面枠１３によって前面を保護されている。遊技盤２の下段側には上皿５および下皿６が設けられている。上皿５は遊技盤２の下部に設けられ、発射機（図示外）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部の左右の角には、スピーカ４８がそれぞれ設けられている。
【００１７】
遊技盤２の前面には、ガイドレール３で囲まれた略円形の遊技領域４が形成されている。遊技領域４の略中央には、ＬＣＤ（液晶ディスプレイ）等を用いて構成される表示装置２８が設けられている。表示装置２８の表示画面には、動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１８】
表示装置２８の外縁を取り囲むように、各種演出を行う演出装置３０が設けられている。演出装置３０は、モータ等の動力を用いて装飾体３１等を駆動し、さらにＬＥＤ等の発光体を発光させ、表示装置２８およびスピーカ４８等と連動しながら様々な演出を行う。
【００１９】
表示装置２８の右方には普通図柄始動ゲート１２が設けられている。普通図柄始動ゲート１２の下方には第二特別図柄始動電動役物１５が配設されている。第二特別図柄始動電動役物１５の左斜め下方には、通常アタッカー１６が設けられている。通常アタッカー１６は開閉部材を備え、遊技球は、開閉部材が開放した状態でのみ、通常アタッカー１６に入賞できる。表示装置２８の下方には、第一特別図柄始動入賞口１４が設けられている。第一特別図柄始動入賞口１４の直下にはＶアタッカー１０が設けられている。Ｖアタッカー１０の詳細については後述する。第一特別図柄始動入賞口１４、第二特別図柄始動電動役物１５、通常アタッカー１６、Ｖアタッカー１０に遊技球が入賞すると、それぞれ所定数の遊技球が商品球として払い出される。
【００２０】
本実施形態では、第一特別図柄始動入賞口１４に入賞すると、第一特別図柄大当たり判定が行われる。その結果、大当たりであると判定されると、通常アタッカー１６およびＶアタッカー１０が所定の順序で開放される大当たり遊技が実行される。後述するが、Ｖアタッカー１０に入賞した遊技球の流路（後述する右排出路１２７、左排出路１２８）は、特定領域および非特定領域として設けられている。パチンコ機１では、大当たり遊技中に遊技球がＶアタッカー１０内の特定領域を通過することが、大当たり遊技終了後に確率変動状態を生起する条件となっている。なお、遊技盤２の背面側には、遊技の主制御、各種演出等を制御する制御部（図示外）が設けられている。
【００２１】
また、普通図柄始動ゲート１２を遊技球が通過すると、普通当たり判定が行われる。その結果、普通当たりであると判定されると、第二特別図柄始動電動役物１５が開放される。遊技球が第二特別図柄始動電動役物１５に入賞すると、第二特別図柄大当たり判定が行われる。その結果、大当たりであると判定されると、上記同様に大当たり遊技が実行される。
【００２２】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、通常アタッカー１６の開閉部材の開閉を行うソレノイドを駆動する。また、中継基板は、後述するＶアタッカー１０の羽部材１０５（図２参照）の開閉を行うソレノイド１０６（図３参照）や案内部材１５０（図２参照）の進退を行うソレノイド１９０（図４参照）の駆動も制御する。
【００２３】
次に、図２〜図７を参照し、Ｖアタッカー１０の構造の詳細について説明する。前述したように、通常アタッカー１６は、ガイドレール３に囲まれる略円形の遊技領域４において、略中央に配置される表示装置２８の下方に配置される（図１参照）。図２〜４に示すように、Ｖアタッカー１０は、前面側に、遊技盤２の盤面に露出して配置される化粧板１０１を備える。化粧板１０１の上部には第一特別図柄始動入賞口１４が設けられている。第一特別図柄始動入賞口１４の下方には、遊技球がＶアタッカー１０に入賞可能な入賞口１１０が設けられている。入賞口１１０には遊技球の通過を検出する入賞口スイッチ１１１が組み付けられている。入賞口１１０の左右両側には、左右に開閉して入賞口１１０を開放・閉鎖する羽部材１０５が設けられている。遊技球は羽部材１０５が開放した状態（図２において二点差線で示す）でのみ、入賞口１１０に入賞できる。羽部材１０５はソレノイド１０６（図３参照）の駆動によって電気的に開閉される。
【００２４】
入賞口１１０の下方には収容室１２０が設けられている。収容室１２０は入賞口１１０に入賞した遊技球を収容し、後述する案内部材１５０で遊技球の振り分けを行う部屋である。収容室１２０の上部は開口し、球入口１２１として形成されている。入賞口１１０の入賞口スイッチ１１１を通過した遊技球は、球入口１２１を通って収容室１２０内に進入する。収容室１２０は化粧板１０１とは独立に形成され、収容室１２０内を囲う側壁のうち前側の側壁（前側壁１２２）は、化粧板１０１の羽部材１０５よりも下方に形成された開口１０２から露出する。前側壁１２２は透明な材料を用いて形成されており、遊技者は前側壁１２２を介して収容室１２０内を覗き込むことができる。また、前側壁１２２は、壁面から収容室１２０内に突出する突出部１３３を有する。突出部１３３は、後述する案内部材１５０の右案内路１５５が前側壁１２２に近接した場合において、右案内路１５５の上部で干渉しない位置に形成されている。
【００２５】
図４、図５に示すように、収容室１２０は左右両側の側壁にそれぞれ開口を有する。右側の側壁である右側壁１２３には右球出口１２５が開口されている。右球出口１２５は前後方向において遊技球の直径より若干大きい程度の開口幅を有する。Ｖアタッカー１０の筐体の右側側部には、前後方向の略中央に、Ｖアタッカー１０から遊技球を排出する右排出口１２９が設けられている。右球出口１２５と右排出口１２９との間には、筐体内をＳ字状に縫う流路に沿って遊技球を右球出口１２５から右排出口１２９へ導く右排出路１２７が形成されている。右排出路１２７の流路上には遊技球の通過を検出するＶスイッチ１３１が設けられている。本実施形態では、Ｖスイッチ１３１を配置した右排出路１２７を、便宜上、特定領域ともよぶ。言い換えると、特定領域とは、Ｖアタッカー１０に入賞した遊技球が外部に排出されるまで流路において、Ｖスイッチ１３１によって遊技球の通過が検出可能な領域である。
【００２６】
左側の側壁である左側壁１２４には左球出口１２６が開口されている。左球出口１２６の開口幅は、前後方向において右球出口１２５の開口幅より大きく形成されている。上記同様、Ｖアタッカー１０の筐体の左側側部で前後方向の略中央に、Ｖアタッカー１０から遊技球を排出する左排出口１３０が設けられている。そして、左球出口１２６と左排出口１３０との間に、筐体内をＳ字状に縫う流路に沿って遊技球を左球出口１２６から左排出口１３０へ導く左排出路１２８が形成されている。左排出路１２８の流路上には、スイッチ等は配置されていない。本実施形態では、スイッチ等が配置されていない左排出路１２８を、便宜上、非特定領域ともよぶ。言い換えると、非特定領域とは、Ｖアタッカー１０に入賞した遊技球が外部に排出されるまで流路において、Ｖスイッチ１３１によって遊技球の通過が検出不可能な領域である。
【００２７】
収容室１２０には、底壁１３２上を擦り動きつつ、前後方向に往復移動する案内部材１５０が設けられている。図６、図７に示すように、案内部材１５０は、前後方向に延びる板状の基体１５１を有する。基体１５１の前方側の端部（前端部１５２）には、基体１５１の上方へ向けて突出する右案内路１５５が形成されている。右案内路１５５は、壁面が基体１５１の左端側を上方とし、右端側を下方として傾斜する細幅の斜壁１５６と、壁面が基体１５１の前端部１５２側を向く前壁１５７と、壁面が基体１５１の後方側の端部（後端部１５３）側を向く後壁１５８を有する。斜壁１５６の壁面は凹面状に形成されている。
【００２８】
また、基体１５１の前端部１５２には、右案内路１５５よりも後端部１５３側で右案内路１５５に近接する位置に、基体１５１の上方へ向けて突出する左案内路１６０が形成されている。左案内路１６０も同様に、壁面が基体１５１の右端側を上方とし、左端側を下方として傾斜する細幅の斜壁１６１と、壁面が前端部１５２側を向く前壁１６２と、壁面が後端部１５３側を向く後壁１６３を有する。斜壁１６１の壁面も、凹面状に形成されている。なお、本実施形態では右案内路１５５の後壁１５８と左案内路１６０の前壁１６２は前後方向に離れて配置されているが、壁面同士が互いに密着（言い換えると右案内路１５５と左案内路１６０とが密着）していてもよい。
【００２９】
さらに、基体１５１の前端部１５２には、左案内路１６０よりも後端部１５３側で左案内路１６０に近接する位置に、基体１５１の上方へ向けて突出する背壁１６５が形成されている。背壁１６５は、前後方向と直交する壁面を有し、当該壁面が左案内路１６０の後壁１６３と向き合う。背壁１６５は、左案内路１６０の斜壁１６１よりも上方に突出している。なお、本実施形態では背壁１６５と左案内路１６０の後壁１６３は前後方向に離れて配置されているが、壁面同士が互いに密着（言い換えると左案内路１６０と背壁１６５とが密着）していてもよい。
【００３０】
左案内路１６０の前壁１６２は、右案内路１５５の斜壁１５６の下端側よりも上方に突出する。したがって、遊技球が右案内路１５５の斜壁１５６を転がるとき、遊技球は、左案内路１６０の前壁１６２と、収容室１２０の前側壁１２２の突出部１３３（図４参照）によって、幅方向への移動（ぶれ）が規制される。同様に、右案内路１５５の後壁１５８は、左案内路１６０の斜壁１６１の下端側よりも上方に突出する。したがって、遊技球が左案内路１６０の斜壁１６１を転がるとき、遊技球は、背壁１６５と右案内路１５５の後壁１５８によって、幅方向への移動（ぶれ）が規制される。
【００３１】
案内部材１５０の基体１５１の上面で、前端部１５２と後端部１５３との間、且つ背壁１６５よりも後端部１５３寄りの位置には、上方へ向けて突出しつつ前後方向に並んで延びる２つの突部１６６が形成されている。また、図３に示すように、Ｖアタッカー１０の筐体の上蓋１０７には、左右方向の略中央（図６参照）、且つ前後方向の略中央の位置に、下向きに突出しつつ前後方向に延びる突部１０８が形成されている。図６に示すように、突部１０８は、案内部材１５０の２つの突部１６６間に位置する。案内部材１５０は、上蓋１０７の突部１０８に基体１５１の突部１６６を噛み合わせた状態で前後方向に進退し、これにより、基体１５１の左右方向への移動（ぶれ）が抑制される。また、２つの突部１６６に噛み合う突部１０８は、収容室１２０内に進入する遊技球が右案内路１５５の斜壁１５６または左案内路１６０の斜壁１６１に衝突する際の衝撃で、基体１５１が左右方向へ移動することも防止する。
【００３２】
図５〜図７に示すように、案内部材１５０の基体１５１の後端部１５３は、下方へ向けて折り返した後、右方へ延び、さらに後方へ向けて折り返して延びる段状に形成されている。後端部１５３は、Ｖアタッカー１０の筐体内で後部側に配置される。後端部１５３の後端には、上方へ向けて突出する棒状のピン１５４が設けられている。ピン１５４には後述する伝達部材１７０の孔１７２が係合する。
【００３３】
Ｖアタッカー１０の筐体の左側後部には、案内部材１５０を進退させる駆動力を生ずるソレノイド１９０が設けられている。ソレノイド１９０は、可動鉄心１９１の先端を後方へ向け、可動鉄心１９１を前後方向に進退する向きに配置されている。可動鉄心１９１の軸にはつる巻きばね（図示外）が組み付けられ、先端が後方へ向けて付勢されている。可動鉄心１９１の先端には、可動鉄心１９１と共に前後方向に進退するキャップ部材１８０が取り付けられている。キャップ部材１８０は、板状で、Ｖアタッカー１０の筐体の底壁に沿って右方に延び、さらに前方へ折れ曲がって延びる腕部１８１を有する。腕部１８１の先端には、上方へ向けて突出する棒状のピン１８２が設けられている。ピン１８２には後述する伝達部材１７０の孔１７３が係合する。ピン１８２は、ソレノイド１９０への非通電時には、可動鉄心１９１に対する付勢によって、伝達部材１７０の支軸１７１（後述）よりも後方側に位置する（図６参照）。ソレノイド１９０への通電時には、可動鉄心１９１がソレノイド１９０内に引き込まれることによって、ピン１８２は伝達部材１７０の支軸１７１よりも前方側に位置する（図８参照）。
【００３４】
伝達部材１７０は、案内部材１５０とキャップ部材１８０とに係合し、ソレノイド１９０の駆動力を案内部材１５０に伝達する部材である。伝達部材１７０は板状に延び、略中央に支軸１７１が挿通される軸穴１７５を有する。図３に示すように、支軸１７１は上下方向に延び、両端がＶアタッカー１０の筐体の上蓋１０７と下蓋１０９にそれぞれ保持される。図５〜図７に示すように、伝達部材１７０は支軸１７１によって水平方向に回動可能に支えられる。ソレノイド１９０への非通電時において、キャップ部材１８０のピン１８２が支軸１７１よりも後方側に位置することで、孔１７２に係合する案内部材１５０のピン１５４は、支軸１７１よりも前方側に位置する。ゆえに案内部材１５０も進退範囲において前方側に位置する。ソレノイド１９０への通電時には、キャップ部材１８０のピン１８２が支軸１７１よりも前方側に位置することで、案内部材１５０のピン１５４は、支軸１７１よりも後方側に位置し（図８参照）、案内部材１５０も進退範囲の後方側に位置する。
【００３５】
伝達部材１７０は、軸穴１７５を挟んで両側の端部にそれぞれ長円形の孔１７２，１７３を有する。孔１７２と孔１７３にはそれぞれ案内部材１５０の後端部１５３に設けられたピン１５４と、キャップ部材１８０の腕部１８１に設けられたピン１８２が係合される。各ピン１５４，１８２は伝達部材１７０の厚みよりも長く形成されている。ピン１５４と孔１７２の係合、およびピン１８２と孔１７３の係合は、各ピン１５４，１８２の延びる方向（上下方向）において、それぞれ遊びを有する。言い換えると、筐体の上蓋１０７と下蓋１０９に保持され、上下方向の位置が固定された伝達部材１７０に対し、案内部材１５０の後端部１５３やキャップ部材１８０の腕部１８１が上下方向に位置ずれしても、各ピン１５４，１８２と各孔１７２，１７３との係合は維持される。
【００３６】
このような構造のＶアタッカー１０は、球入口１２１を通って収容室１２０内に進入した遊技球を、パチンコ機１における遊技の状態に応じ、特定領域（右排出路１２７）または非特定領域（左排出路１２８）を通過するように、案内部材１５０で振り分ける。以下、ソレノイド１９０の駆動（通電）によって案内部材１５０を進退し、球入口１２１の直下に右案内路１５５または左案内路１６０を配置することによって、遊技球を特定領域または非特定領域に案内する際の動作について、図２〜図９を参照して説明する。
【００３７】
Ｖアタッカー１０は大当たり遊技が実行されると羽部材１０５が開放され、遊技球が入賞口１１０に入賞可能となる。そして、入賞した遊技球が案内部材１５０に案内されて特定領域を通過することを条件に、大当たり遊技終了後に確率変動状態が生起される。制御部（図示外）によって遊技球を特定領域に案内する制御が行われる場合には、Ｖアタッカー１０のソレノイド１９０への通電が行われ、非特定領域に案内する場合には、ソレノイド１９０への通電が行われない。
【００３８】
前述したように、ソレノイド１９０の可動鉄心１９１は先端側が後方へ向けて付勢されている。図５に示すように、ソレノイド１９０への通電がなされないとき、可動鉄心１９１に取り付けられたキャップ部材１８０のピン１８２は、可動鉄心１９１の付勢に伴い、伝達部材１７０の支軸１７１よりも後方へ向けて移動する。伝達部材１７０は、支軸１７１を中心に上から見た場合の時計回りに回動し、ピン１８２が係合する孔１７３に対して支軸１７１の反対側に位置する孔１７２に係合する案内部材１５０のピン１５４を前方へ向けて押圧する。図４に示すように、案内部材１５０は前方へ向けて押圧され、前端部１５２に設けられた右案内路１５５の前壁１５７（図７参照）が収容室１２０の前側壁１２２に近接し、右案内路１５５の一部が前側壁１２２の突出部１３３の下側に入り込む。そして左案内路１６０が、球入口１２１の直下に位置する。
【００３９】
図２、図３に示すように、入賞口１１０に入賞した遊技球は、入賞口スイッチ１１１を通過すると、そのまま落下して球入口１２１を通り、収容室１２０に進入して、左案内路１６０の斜壁１６１（図７参照）に衝突する。斜壁１６１は左端側を下方として傾斜するので、図４、図５に示すように、遊技球は、斜壁１６１に案内されて左方へ進み、収容室１２０の左球出口１２６へ向かう。このとき、図６に示すように、遊技球は、斜壁１６１の前方側に位置する右案内路１５５の後壁１５８と、後方側に位置する背壁１６５によって幅方向（前後方向）への移動が阻まれる。よって、図４、図５に示すように、遊技球は斜壁１６１に沿って転がり、左球出口１２６に案内される。遊技球は、左球出口１２６から左排出路１２８、すなわち非特定領域を通過して、左排出口１３０からＶアタッカー１０の外部に排出される。このように、ソレノイド１９０が駆動していないとき（非通電時）、特に、故障等で非駆動状態となったときには、遊技球が非特定領域に案内されるようにすることができる。
【００４０】
大当たり遊技の進行において、遊技球を特定領域に案内する制御が行われる場合には、図８に示すように、Ｖアタッカー１０のソレノイド１９０への通電が行われ、可動鉄心１９１がソレノイド１９０内に引き込まれる。可動鉄心１９１に取り付けられたキャップ部材１８０のピン１８２は、可動鉄心１９１とともに、伝達部材１７０の支軸１７１よりも前方へ向けて移動する。伝達部材１７０は、支軸１７１を中心に上から見た場合の反時計回りに回動し、孔１７２に係合する案内部材１５０のピン１５４を後方へ向けて押圧する。図９に示すように、案内部材１５０は後方へ向けて押圧され、前端部１５２の右案内路１５５が収容室１２０の前側壁１２２から離れるとともに、右案内路１５５が球入口１２１の直下に位置する。
【００４１】
図２、図３に示すように、入賞口１１０に入賞し、入賞口スイッチ１１１を通過した遊技球は、そのまま落下して球入口１２１を通り、収容室１２０に進入して、右案内路１５５の斜壁１５６（図７参照）に衝突する。斜壁１５６は右端側を下方として傾斜するので、図８、図９に示すように、遊技球は、斜壁１５６に案内されて右方へ進み、収容室１２０の右球出口１２５へ向かう。このとき、図６に示すように、遊技球は、斜壁１６１の後方側に位置する左案内路１６０の前壁１６２によって、前後方向の後方側への移動が阻まれる。一方、図９に示すように、遊技球は、前後方向の前方側への移動が、前側壁１２２の突出部１３３によって阻まれる。よって、図８、図９に示すように、遊技球は斜壁１５６に沿って転がり、右球出口１２５に案内される。遊技球は、右球出口１２５から右排出路１２７、すなわち特定領域を通り、途中、Ｖスイッチ１３１を通過して、右排出口１２９からＶアタッカー１０の外部に排出される。ソレノイド１９０への通電が停止されると、上記のように、可動鉄心１９１がつる巻きばね（図示外）に付勢され、伝達部材１７０を介して案内部材１５０が前方へ向けて押圧される。左案内路１６０が球入口１２１の直下に位置し、以降、入賞する遊技球は、左排出路１２８（非特定領域）に案内される。
【００４２】
ところで、遊技球が入賞し、収容室１２０内に進入する際に、遊技球は落下して右案内路１５５の斜壁１５６または左案内路１６０の斜壁１６１に衝突する。案内部材１５０の基体１５１は収容室１２０の底壁１３２上で擦り動く構成であり、底壁１３２によって案内部材１５０は支えられている。よって、落下する遊技球が斜壁１５６または斜壁１６１に衝突した際の衝撃に対し、案内部材１５０は十分に耐えることができる。また、遊技球が斜壁１５６または斜壁１６１に衝突することで、案内部材１５０には、下方への応力だけでなく、左方または右方へ向けて生ずる応力の方向成分による応力がかかる。上記したように、案内部材１５０の基体１５１に設けられた突部１６６が、上蓋１０７の突部１０８に噛み合うので、応力によって左方または右方へ向けて移動する突部１６６が突部１０８に支えられ、案内部材１５０の左右方向への移動が防止される。よって、案内部材１５０は、遊技球の案内の確実性を長期にわたって維持することができる。
【００４３】
また、右案内路１５５および左案内路１６０は基体１５１の前端部１５２に設けられているので、落下する遊技球の衝突による衝撃で、案内部材１５０の後端部１５３には上下方向への応力がかかる。上記したように、伝達部材１７０と案内部材１５０との接続部位は、伝達部材１７０の孔１７２と案内部材１５０のピン１５４の係合によってなされ、上下方向への遊びが設けられている。よって、案内部材１５０の後端部１５３にかかる上下方向への応力は、ピン１５４と孔１７２との間の遊びによって、伝達部材１７０に伝達されることがない。さらに伝達部材１７０の孔１７３とキャップ部材１８０のピン１８２との間にも同様の遊びが設けられているので、伝達部材１７０からキャップ部材１８０、さらにはソレノイド１９０に、案内部材１５０にかかる応力は伝達されないので、ソレノイド１９０に負荷がかからない。
【００４４】
また、遊技球が左案内路１６０の斜壁１６１上に位置するときにソレノイド１９０が駆動し、案内部材１５０が後方へ移動した場合、遊技球は右案内路１５５の後壁１５８によって前方への移動が規制されるので、斜壁１６１上に位置したまま、案内部材１５０とともに後方へ移動する。ここで、左球出口１２６は、右球出口１２５よりも開口幅が大きく形成されている。具体的に、左球出口１２６は、ソレノイド１９０の非通電時に左案内路１６０の斜壁１６１の下端が収容室１２０の左側壁１２４に向き合う位置（図４参照）と、ソレノイド１９０の通電時に同様に向き合う位置（図９参照）とを含め、両者間の全体にわたって開口する。したがって、前後方向に進退する案内部材１５０がどの位置にあっても、斜壁１６１の下端は左球出口１２６に向き合うため、左案内路１６０は遊技球を確実に左球出口１２６に案内することができる。言い換えると、上記のように案内部材１５０とともに遊技球が後方への移動後も、あるいは移動途中であっても左案内路１６０に案内された遊技球は、確実に、左球出口１２６へ向かい、非特定領域を通過することができる。特に、案内部材１５０の移動時であっても遊技球が挟まれることがないので、球詰まり等を生ずることがなく信頼性が高い。
【００４５】
一方、遊技球が右案内路１５５の斜壁１５６上に位置するときにソレノイド１９０が非通電となり、案内部材１５０が前方へ移動した場合、遊技球は左案内路１６０の前壁１６２によって後方への移動が規制されるので、斜壁１５６上に位置したまま、案内部材１５０とともに前方へ移動する。右案内路１５５は一部が前側壁１２２の突出部１３３の下側に入り込むため、遊技球は突出部１３３と前壁１６２に挟まれる。ここで、案内部材１５０の移動において加わる力は可動鉄心１９１に設けられた、つる巻きばねの付勢力によるものであるので、突出部１３３と前壁１６２で遊技球を挟む力は比較的小さい。ゆえに、遊技球は右案内路１５５に案内されて容易に右球出口１２５へ向かい、特定領域を通過することができる。
【００４６】
ところで、遊技球が右案内路１５５の斜壁１５６上に位置するときにソレノイド１９０が非通電となったタイミングがより早かった場合、遊技球が、斜壁１５６の上端寄りの位置で斜壁１５６を転がり始める前に、突出部１３３と前壁１６２に挟まれる場合がある。ここで、図２に示すように、正面から見た場合において、右案内路１５５と左案内路１６０は互いに交差し、左案内路１６０は、右案内路１５５よりも、基体１５１からの突出高さが低く形成されている。ゆえにこの場合、遊技球は、右案内路１５５と左案内路１６０とで形成する谷部を通過して左案内路１６０側へ移動し、挟まれること（いわゆる玉噛み）を逃れることができるので、球詰まりを生じにくい。
【００４７】
本発明は、以上説明した実施形態に限定されるものではなく、本発明の要旨を逸脱しない範囲内において種々の変更が可能であることは言うまでもない。例えば、案内部材１５０は前後方向に進退したが、左右方向、あるいは前後左右に対する斜め方向に進退してもよい。この場合に右球出口１２５と左球出口１２６は、案内部材１５０の進退方向に対する側方において、案内部材１５０を挟んで位置すればよい。また、基体１５１の前端部１５２に左案内路１６０が設けられ、左案内路１６０より後端部１５３側で左案内路１６０に近接または密着して右案内路１５５が設けられてもよい。
【００４８】
右排出路１２７、左排出路１２８をそれぞれ特定領域、非特定領域としたが、逆に、非特定領域、特定領域であってもよい。特定領域、非特定領域は流路に限定するものではなく、案内部材１５０によって択一的に振り分けることのできる任意の領域としてもよい。例えば、特定領域はＶスイッチ１３１としてもよいし、右排出口１２９としてもよい。
【００４９】
前側壁１２２に設けた突出部１３３は、上方から見て球入口１２１内には突出しないが、球入口１２１内に突出させてもよい。このようにすれば、球入口１２１から収容室１２０に進入する遊技球が突出部に衝突して落下の勢いを弱めた後、案内部材１５０の右案内路１５５または左案内路１６０上に落下するので、衝突時の衝撃を軽減することができる。この場合、突出部は前側壁１２２に限らず、右側壁１２３や左側壁１２４から突出させてもよい。
【００５０】
なお、本発明においては、パチンコ機１が「遊技機」に相当する。Ｖアタッカー１０が「役物装置」に相当する。左右方向が「第一方向」に相当する。右側壁１２３および左側壁１２４が「二つの側壁」に相当する。右球出口１２５、左球出口１２６がそれぞれ「第一球出口」、「第二球出口」に相当する。前後方向が「第二方向」に相当する。前端部１５２、後端部１５３がそれぞれ「一方の端部」、「他方の端部」に相当する。斜壁１５６、斜壁１６１がそれぞれ「第一斜壁」、「第二斜壁」に相当する。前壁１５７、後壁１５８、前壁１６２、後壁１６３がそれぞれ「第一側壁」、「第二側壁」、「第三側壁」、「第四側壁」に相当する。右案内路１５５、左案内路１６０がそれぞれ「第一案内路」、「第二案内路」に相当する。ソレノイド１９０が「駆動源」に相当する。ピン１５４、孔１７２がそれぞれ「ピン」、「孔」に相当する。突部１６６、突部１０８がそれぞれ「第一突部」、「第二突部」に相当する。右排出路１２７、左排出路１２８がそれぞれ「特定領域」、「非特定領域」に相当する。
【符号の説明】
【００５１】
１    パチンコ機
１０    Ｖアタッカー
１０８    突部
１１０    入賞口
１２０    収容室
１２１    球入口
１２３    右側壁
１２４    左側壁
１２５    右球出口
１２６    左球出口
１２７    右排出路
１２８    左排出路
１３２    底壁
１５０    案内部材
１５１    基体
１５２    前端部
１５３    後端部
１５４    ピン
１５５    右案内路
１５６    斜壁
１５７    前壁
１５８    後壁
１６０    左案内路
１６１    斜壁
１６２    前壁
１６３    後壁
１６５    背壁
１６６    突部
１７０    伝達部材
１７２    孔
１９０    ソレノイド
【図１】
2014030642.tif 000003
【図２】
2014030642.tif 000004
【図３】
2014030642.tif 000005
【図４】
2014030642.tif 000006
【図５】
2014030642.tif 000007
【図６】
2014030642.tif 000008
【図７】
2014030642.tif 000009
【図８】
2014030642.tif 000010
【図９】
2014030642.tif 000011